(57)【特許請求の範囲】
【請求項１】
放熱機能を発揮する金属材料をそれぞれ用いて、導光パネル肉厚に合わせた中間起立壁を有する上向き開口断面Ｕ字状とした中間配置用及び外周側に位置した１辺又は２辺に上記中間起立壁より高い端部起立壁を、他を上記中間起立壁と同じく導光パネルの肉厚に合わせた中間起立壁を有して同じく上向き開口断面し字状とした端部配置用の２種類のケースを用い、これら中間配置用及び端部配置用の各ケースにそれぞれ同面積平面矩形の導光パネルと上記中間起立壁及び端部起立壁に該導光パネルの対向する両端に同輝度同数のＬＥＤ光源を臨設配置して照明面複数区分の導光単位とし、上記端部起立壁によって外周を区画するように該導光単位を面方向に並列及び／又は直列に配置して導光単位集合体を形成し、その外周に位置する上記端部起立壁に対して一体の乳白パネルを載置固定して導光単位集合体の照明面とするとともに該導光単位集合体の照明面と各導光単位表面の出光面との間に０．７〜２．５ｃｍの高さの離隔空間を配置し、該離隔空間によって導光単位間継ぎ目部分の線及びＬＥＤ光源の線の照明面への出現を防止して照明面の輝度を均一化してなることを特徴とする看板、ディスプレイ、表示板、照明パネル等の大判背面照明装置。
【請求項２】
上記一体の乳白パネルに代えて、上記導光単位集合体の外周に位置する端部起立壁に形成し又は設置したシート受座にシート押えバーを装着することによって被照明用一体のＦＦシートを展張配置してなることを特徴とする請求項１に記載の看板、ディスプレイ、表示板、照明パネル等の大判背面照明装置。
【請求項３】
上記ＬＥＤ光源を臨設配置した導光パネルの対向する両端の上記中間起立壁及び端部起立壁の幅を、導光単位の輝度調整手段として該幅の拡縮調整によって設定した導光単位の輝度により照明面の要求輝度を確保自在としてなることを特徴とする請求項１又は２に記載の看板、ディスプレイ、表示板、照明パネル等の大判背面照明装置。
【請求項４】
上記導光単位を、導光単位集合体の照明面と同等面積の底板又はハウジングに配置してなることを特徴とする請求項１、２又は３に記載の看板、ディスプレイ、表示板、照明パネル等の大判背面照明装置。
【請求項５】
上記導光単位に臨設配置したＬＥＤ光源に、ＬＥＤチップを用いるとともに該ＬＥＤチップの照明面側をシート乃至フィルム等の半透明材によって被覆して減光措置を施してなることを特徴とする請求項１、２、３又は４に記載の看板、ディスプレイ、表示板、照明パネル等の大判背面照明装置。
【請求項６】
上記導光単位に臨設配置したＬＥＤ光源を、導光パネルの照明面側に突条を配置して形成した断面Ｌ字状の入射端面にＬＥＤチップを配置して該入射端面にＬＥＤチップを収容臨設して導光パネルに入射光を供給するとともに該ＬＥＤチップの照明面側を上記入射端面の突条によって被覆して減光措置を施してなることを特徴とする請求項１、２、３又は４に記載の看板、ディスプレイ、表示板、照明パネル等の大判背面照明装置。
【請求項７】
上記一体の乳白パネルを、上記導光単位集合体の外周に位置する上記端部起立壁に対する載置固定に代えて、該導光単位集合体を、外周に起立壁を配置した断面Ｕ字状のハウジングに配置するとともに該ハウジングに設置したパネル受座に載置固定してなることを特徴とする請求項１、２、３、４、５又は６に記載の看板、ディスプレイ、表示板、照明パネル等の大判背面照明装置。
【発明の詳細な説明】
【技術分野】
【０００１】
本発明は、看板、ディスプレイ、表示板、照明パネル等の大判背面照明装置に関する。
【背景技術】
【０００２】
この種の導光パネルを用いた背面照明装置は、例えば液晶バックライト、看板、ディスプレイ等に広く使用されており、例えば下記特許文献１は、一対の支柱によって自立配置するようにした表示板に係り、該表示板は、導光パネルと、該導光パネルの対向する両端にそれぞれ隣接して長手方向に多数配置したＬＥＤ光源と、導光パネルの背面に配置した反射板と、上記導光パネルの出光面側に積層配置した背面照明フィルム貼着の表示パネルとを備えたものとされ、このとき導光パネルは、その肉厚を約１ｃｍとしたアクリル透明板の表面に密度変調したドットによる導光パタンをスクリーン印刷して形成したものとする一方、ＬＥＤ光源は白色のものとして、導光パネルのドット面を覆うように該ＬＥＤ光源の演色性補正フィルターを配置することによって、背面照明フィルムの色再現性を可及的に向上したものとされている。
【０００３】
【特許文献１】特開２００６−２３６７４９号公報
【発明の開示】
【発明が解決しようとする課題】
【０００４】
この場合、上記演色補正フィルターによって色再現性を良好とした背面照明装置を得ることができるが、図１によれば背面照明装置は、その横幅を１ｍ程度、縦長さを１ｍ以下とした正面矩形を呈するものとされるところ、この程度に大きな面積の背面照明装置においては、その照明輝度を、例えば看板における如くに遠方からも視認し得る程度に充分に高輝度のものとすることは必ずしも容易ではない。この場合、導光パネルの肉厚を１ｃｍ程度としたものとされるが、導光パタンによって入射光の導光は光源からの距離に反比例するように消費されるところ、肉厚を厚くすれば導光パネル内の入射光の乱反射を促進する結果、ある程度の照明輝度を確保することは可能となるから、比較的近くで照明フィルムを背面照明する用途のこの種の表示板にあっては、背面照明を障害のない程度の照明輝度によって行なうことが一応可能となるが、該背面照明装置の照明輝度を向上したり、例えば横幅や高さを数ｍといった如き大判の背面照明装置とするには、導光パネルの肉厚を２ｃｍ乃至それ以上とするとともに入射光供給のＬＥＤ光源を導光パネルの肉厚方向に複数列のダブル配置を行なう等の輝度向上措置を必要とすることになり、背面照明装置が一層厚くなるという問題点が生じる。
【０００５】
本発明はかかる事情に鑑みてなされたもので、その解決課題とするところは、照明面積を問わずに可及的高輝度にして均一な照明輝度を得られるとともに厚さを可及的に抑制することによって薄く形成することができる、看板、ディスプレイ、表示板、照明パネル等の大判背面照明装置を提供するにある。
【課題を解決するための手段】
【０００６】
上記課題に沿って本発明は、導光パネルとこれに入射光を供給するＬＥＤ光源によって、大判の照明面を面方向に複数分割する如くに区分した導光単位（導光ユニットと称してもよい）を用いて、該導光単位を面方向に配置することによって導光単位集合体を形成するようにする一方、該導光単位集合体の照明面と導光単位表面の出光面との間に０．７〜２．５ｃｍの高さの離隔空間を介して一体の乳白パネルを配置し、該乳白パネルを介した背面照明を行なうとともに、例えば看板等においては該乳白パネルを被照明フィルムの支持面とし得るようにすることによって、複数の導光単位を用いたことによる、均一性を阻害する導光単位間の継ぎ目部分やＬＥＤ光源の線が照明面に出現するのを防止するようにして、大判でありながら可及的に高輝度にして均一な照明輝度を確保した背面照明をなし得るようにするとともに導光単位数を増減することによって照明面の面積を自由に設定できるようにしたものであって、即ち請求項１に記載の発明を、放熱機能を発揮する金属材料をそれぞれ用いて、導光パネル肉厚に合わせた中間起立壁を有する上向き開口断面Ｕ字状とした中間配置用及び外周側に位置した１辺又は２辺に上記中間起立壁より高い端部起立壁を、他を上記中間起立壁と同じく導光パネルの肉厚に合わせた中間起立壁を有して同じく上向き開口断面し字状とした端部配置用の２種類のケースを用い、これら中間配置用及び端部配置用の各ケースにそれぞれ同面積平面矩形の導光パネルと上記中間起立壁及び端部起立壁に該導光パネルの対向する両端に同輝度同数のＬＥＤ光源を臨設配置して照明面複数区分の導光単位とし、上記端部起立壁によって外周を区画するように該導光単位を面方向に並列及び／又は直列に配置して導光単位集合体を形成し、その外周に位置する上記端部起立壁に対して一体の乳白パネルを載置固定して導光単位集合体の照明面とするとともに該導光単位集合体の照明面と各導光単位表面の出光面との間に０．７〜２．５ｃｍの高さの離隔空間を配置し、該離隔空間によって導光単位間継ぎ目部分の線及びＬＥＤ光源の線の照明面への出現を防止して照明面の輝度を均一化してなることを特徴とする看板、ディスプレイ、表示板、照明パネル等の大判背面照明装置としたものである。
【０００７】
請求項２に記載の発明は、上記一体の乳白パネルに代えて、被照明用一体のＦＦシート（フレキシブルフェースシート）を、出光面との間に離隔空間を介して配置することによって、同様に大判でありながら可及的に高輝度にして均一な照明輝度を確保したＦＦシートの背面照明をなし得るものとするように、これを、上記一体の乳白パネルに代えて、上記導光単位集合体の外周に位置する端部起立壁に形成し又は設置したシート受座にシート押えバーを装着することによって被照明用一体のＦＦシートを展張配置してなることを特徴とする請求項１に記載の看板、ディスプレイ、表示板、照明パネル等の大判背面照明装置としたものである。
【０００８】
請求項３に記載の発明は、上記均一な輝度を確保した導光単位における導光パネルの幅を縮小して照明輝度を向上し、幅を拡大して照明輝度を低下する如くに、該導光パネルの幅を輝度調整手段とすることによって背面照明装置に要求される輝度を調整確保して、背面照明装置の要求輝度を実現したものとするように、これを、上記ＬＥＤ光源を臨設配置した導光パネルの対向する両端の上記中間起立壁及び端部起立壁の幅を、導光単位の輝度調整手段として該幅の拡縮調整によって設定した導光単位の輝度により照明面の要求輝度を確保自在としてなることを特徴とする請求項１又は２に記載の看板、ディスプレイ、表示板、照明パネル等の大判背面照明装置としたものである。
【０００９】
請求項４に記載の発明は、導光単位の配置形態を安定且つ確実に行なうことによってそれぞれ大判背面照明装置として好ましいものとするように、これを、上記導光単位を、導光単位集合体の照明面と同等面積の底板又はハウジングに配置してなることを特徴とする請求項１、２又は３に記載の看板、ディスプレイ、表示板、照明パネル等の大判背面照明装置としたものである。
【００１０】
請求項５に記載の発明は、上記ＬＥＤ光源にＬＥＤチップを用い、これを導光単位間乃至その近傍に位置するＬＥＤチップを半透明材で被覆して減光することによってその直射光による、例えば帯状光輝部分の出現に起因する照明輝度の均一性阻害を解消して照明輝度の均一性を確保し得るものとするように、これを、上記導光単位に臨設配置したＬＥＤ光源に、ＬＥＤチップを用いるとともに該ＬＥＤチップの照明面側をシート乃至フィルム等の半透明材によって被覆して減光措置を施してなることを特徴とする請求項１、２、３又は４に記載の看板、ディスプレイ、表示板、照明パネル等の大判背面照明装置としたものである。
【００１１】
請求項６に記載の発明は、上記ＬＥＤ光源にＬＥＤチップを用い、これを導光パネル端部の断面Ｌ字状の入射端面に収容して該ＬＥＤチップから導光パネルに入射光の供給を行なうようにするとともに該収容臨設の配置によってＬＥＤチップの直射光を断面Ｌ字状の突条によって被覆して減光することによって該ＬＥＤチップの直射光による、同じく例えば帯状光輝部分の出現に起因する照明輝度の均一性阻害を解消して照明輝度の均一性を確保し得るものとするように、これを、上記導光単位に臨設配置したＬＥＤ光源を、導光パネルの照明面側に突条を配置して形成した断面Ｌ字状の入射端面にＬＥＤチップを配置して該入射端面にＬＥＤチップを収容臨設して導光パネルに入射光を供給するとともに該ＬＥＤチップの照明面側を上記入射端面の突条によって被覆して減光措置を施してなることを特徴とする請求項１、２、３又は４に記載の看板、ディスプレイ、表示板、照明パネル等の大判背面照明装置としたものである。
【００１２】
請求項７に記載の発明は、上記一体の乳白パネルを、上記導光単位集合体の外周に位置する上記端部起立壁に対する載置固定に代えて、該導光単位集合体を、外周に起立壁を配置した断面Ｕ字状のハウジングに配置するとともに該ハウジングに設置したパネル受座に載置固定してなることを特徴とする請求項１、２、３、４、５又は６に記載の看板、ディスプレイ、表示板、照明パネル等の大判背面照明装置としたものである。
【００１３】
本発明はこれらをそれぞれ発明の要旨として、上記課題解決の手段としたものである。
【発明の効果】
【００１４】
本発明は以上のとおりに構成したから、請求項１に記載の発明は、導光パネルとこれに入射光を供給するＬＥＤ光源によって、大判の照明面を面方向に複数分割する如くに区分した導光単位を用いて、該導光単位を面方向に配置することによって導光単位集合体を形成するようにする一方、該導光単位集合体の照明面と導光単位表面の出光面との間に０．７〜２．５ｃｍの高さの離隔空間を介して一体の乳白パネルを配置し、該乳白パネルを介した背面照明を行なうとともに、例えば看板等においては該乳白パネルを被照明フィルムの支持面とし得るようにすることによって、複数の導光単位を用いたことによる、均一性を阻害する導光単位間の継ぎ目部分やＬＥＤ光源の線が照明面に出現するのを防止するようにして、大判でありながら可及的に高輝度にして均一な照明輝度を確保した背面照明をなし得るようにするとともに導光単位数を増減することによって照明面の面積を自由に設定できるようにした大判背面照明装置を提供することができる。
【００１５】
請求項２に記載の発明は、上記一体の乳白パネルに代えて、被照明用一体のＦＦシートを、出光面との間に離隔空間を介して配置することによって、同様に大判でありながら可及的に高輝度にして均一な照明輝度を確保したＦＦシートの背面照明をなし得るものとすることができる。
【００１６】
請求項３に記載の発明は、上記均一な輝度を確保した導光単位における導光パネルの幅を縮小して照明輝度を向上し、幅を拡大して照明輝度を低下する如くに、該導光パネルの幅を輝度調整手段とすることによって背面照明装置に要求される輝度を調整確保して、背面照明装置の要求輝度を実現したものとすることができる。
【００１７】
請求項４に記載の発明は、導光単位の配置形態を安定且つ確実に行なうことによってそれぞれ大判背面照明装置として好ましいものとすることができる。
【００１８】
請求項５に記載の発明は、上記ＬＥＤ光源にＬＥＤチップを用い、これを導光単位間乃至その近傍に位置するＬＥＤチップを半透明材で被覆して減光することによってその直射光による、例えば帯状光輝部分の出現に起因する照明輝度の均一性阻害を解消して照明輝度の均一性を確保し得るものとすることができる。
【００１９】
請求項６に記載の発明は、上記ＬＥＤ光源にＬＥＤチップを用い、これを導光パネル端部の断面Ｌ字状の入射端面に収容配置して該ＬＥＤチップから導光パネルに入射光の供給を行なうとともに該ＬＥＤチップの直射光を断面Ｌ字状の突条によって被覆して減光することによって該ＬＥＤチップの直射光による、同じく例えば帯状光輝部分の出現に起因する照明輝度の均一性阻害を解消して照明輝度の均一性を確保し得るものとすることができる。
【００２０】
請求項７に記載の発明は、上記一体の乳白パネルの配置の他の形態のものとすることができる。
【発明を実施するための最良の形態】
【００２１】
以下図面の例に従って本発明を更に具体的に説明すれば、図１乃至図３において、Ａは、例えば図上の横幅を３．３ｍ、縦長さ（高さ）を２ｍ強とした照明面を有する大判の看板、ディスプレイ、表示板等の用途とした背面照明装置であって、該背面照明装置Ａは、放熱機能を発揮する金属材料をそれぞれ用いて、導光パネル１２肉厚に合わせた中間起立壁１１１を有する上向き開口断面Ｕ字状とした中間配置用及び外周側に位置した１辺又は２辺に上記中間起立壁１１１より高い端部起立壁１１２を、他を上記中間起立壁１１１と同じく導光パネル１２の肉厚に合わせた中間起立壁１１１を有して同じく上向き開口断面し字状とした端部配置用の２種類のケース１１を用い、これら中間配置用及び端部配置用の各ケース１１にそれぞれ同面積平面矩形の導光パネル１２と上記中間起立壁１１１及び端部起立壁１１２に該導光パネル１２の対向する両端に同輝度同数のＬＥＤ光源１３を臨設配置して照明面複数区分の導光単位１とし、上記端部起立壁１１２によって外周を区画するように該導光単位１を面方向に並列及び／又は直列に配置して導光単位集合体を形成し、その外周に位置する上記端部起立壁１１２に対して一体の乳白パネル２を載置固定して導光単位集合体の照明面とするとともに該導光単位集合体の照明面と各導光単位１表面の出光面との間に０．７〜２．５ｃｍの高さの離隔空間２１を配置し、該離隔空間２１によって導光単位１間継ぎ目部分の線及びＬＥＤ光源１３の線の照明面への出現を防止して照明面の輝度を均一化したものとしてあり、このとき上記各導光単位１は、そのＬＥＤ光源１３を臨設配置した導光パネル１２の対向する両端の上記中間起立壁及び端部起立壁の幅を、導光単位の輝度調整手段として該幅の拡縮調整によって設定した導光単位１の輝度により照明面の要求輝度を確保自在としたものとしてある。
【００２２】
背面照明装置Ａにあっては、上記導光単位１に、同等の輝度を有するように幅を同等とした同幅の導光パネル１２を用いるとともに同輝度及び同数のＬＥＤ光源１３を使用することを前提として、該導光パネル１２の幅を拡縮調整、即ち導光単位の輝度が不足するときは該幅を縮小して輝度を向上し、輝度が過度であるときは該幅を拡大して輝度を低下するように輝度の調整を行なうことによって、導光パネル１２の所定輝度を用途に応じて設定して形成した導光単位１を用いて、背面照明装置Ａに要求される照明面の設定輝度を確保自在とするようにしてある。このような設定輝度確保の方法を採用することによって上記ＬＥＤ光源１３の輝度、数を前提として導光パネル１２の幅設定を輝度調整手段とし、同一の照明面を有する背面照明装置Ａにおいても、屋外、屋内、背面照明の目的等を勘案してその用途によって異なる照明輝度を容易且つ確実に実現確保し得るようにしてある。
【００２３】
本例の背面照明装置Ａにあっては、上記ＬＥＤ光源１３を配置した対向する両端間の幅の拡縮調整によって、図上の縦長さ（高さ）２ｍ強を３区分し、ＬＥＤ光源非配置の対向する両端間の幅を、その板取りや輸送、設置作業の事情を考慮して図上の横幅３．３ｍを同じく３区分した、縦横各３区分の合計９つの導光単位１を、面方向に３つづつ並列及び直列に配置してあり、該導光単位１は、その図上の横幅を、例えば１０４ｃｍ、縦長さを６７ｃｍとするとともに肉厚を可及的に薄肉の５ｍｍとした、それぞれ同等の幅、長さ、肉厚を有する同等面積の平面矩形をなす各導光パネル１２を用い、該導光パネル１２に、その一方の対向する上記１０４ｃｍの長辺側、即ち図上の上下両端にＬＥＤ光源１３をそれぞれ配置し、該ＬＥＤ光源１３によって各導光パネル１２に対して入射光を供給するようにしてあり、このとき本例の導光単位１は、これを照明面と同等面積の底板３又はハウジングに配置したものとしてある。
【００２４】
導光パネル１２は、常法に従ってアクリル透明板に導光パタン、例えばＬＥＤ光源側を疎、ＬＥＤ光源間の中央位置を密とするように密度変調して、スクリーン印刷、射出成形又は機械加工によってアクリル透明板の裏面に形成配置したドット、ヘアライン、網目等の導光パタン（図示省略）を備えたものとしてある。
【００２５】
このとき本例の上記導光単位１に臨設配置したＬＥＤ光源１３に、ＬＥＤチップを用いるとともに該ＬＥＤチップの照明面側をシート乃至フィルム等の半透明材によって被覆して減光措置を施したものとしてある。
【００２６】
本例にあって導光パネル１２の上記入射端面１２１は、例えば該導光パネル１２に直交配置し、図上において垂直面をなすように形成してある一方、上記ＬＥＤチップは、高輝度チップをチップ基板に長手方向直列の一列に多数配置したものを用い、該チップ基板をケース起立壁１１１の内壁に、例えば接着等の固定手段によって固定して、上記導光パネル１２の入射端面１２１にその長手方向に多数の高輝度チップを近接して臨ませるように配置し、該導光パネル１２の対向する長辺全長に亘って均一な入射光を供給するようにしてある。
【００２７】
導光単位１のケース１１は、上記の通り、アルミ、スチール等の放熱機能を発揮する金属材料を用いた中間配置用と端部配置用の２種類としてあり、中間配置用のケース１１は、その中間起立壁１１１を導光パネル１２の肉厚の５ｍｍとして上向き開口の断面Ｕ字状とし、端部配置用のケース１１は、その端部起立壁１１２を、例えば２０ｍｍとし、他の中間起立壁１１１を上記導光パネル１２の肉厚の５ｍｍとして同じく上向き開口の断面し字状としたものとし、それぞれ導光パネル１２とＬＥＤチップを収容して導光単位１３を形成してある。
【００２８】
このときＬＥＤチップは、その高輝度チップが、導光パネル１２の入射端面１２１とケース１１の内壁間の導光単位１近傍に露出し、該高輝度チップの直射光が導光パネル１２の輝度より明るく照明面に到達して照明面に、例えば筋状に出現するのを防止するように、例えばポリエステル乳白色シートやフィルムの如くに半透明材１３１を配置することによって該直射光による照明輝度の均一性阻害の可能性を解消してあり、本例にあって該半透明材１３１の配置は、例えばケース１１における中間起立壁１１１の上端、上記端部配置用のケース１１における２０ｍｍの端部起立壁１１２にあっては該端部起立壁１１２の底面から５ｍｍの中間と各導光パネル１２の幅方向端部との間に該半透明材１３１を架設するように配置することによって、該ＬＥＤチップの被覆を行なってある。
【００２９】
このように形成した上記９つの導光単位１は、本例にあってそのケース１１を隣接相互に５ｍｍ高さのケース起立壁１１１を対接するように上記底板３、同じく放熱機能を有する金属製の底板に載置固定することによって該底板３に一体化してある。
【００３０】
このとき外周に２０ｍｍ高さに形成した端部配置用のケース１１の端部起立壁１１２に上記一体の乳白パネル２を載置固定し、該乳白パネル２によって照明面を被覆してあり、該乳白パネル２は、これを被照明フィルム４の支持面をなすようにしてある。乳白パネル２は、アクリル、ポリエステル等に乳白化剤を添加し又は表面を粗面化して光拡散機能を付与した光透過性にして乳白半透明を呈するもの、例えば乳白アクリルを用いるとともに照明装置Ａと同等面積の大判のものとしてあり、本例にあって該乳白パネル２は、その肉厚を比較的薄い２〜５ｍｍ程度、本例の該乳白パネル２は、その肉厚を３ｍｍとしてある。
【００３１】
該乳白パネル２は、面方向に配置した導光単位１における導光パネル１２表面の出光面との間に離隔空間を介して、例えば大判背面照明装置Ａの正面に載置固定することによって照明面を被覆してある。該離隔空間２１は、その高さを０．７〜２．５ｃｍとしてある。該離隔空間２１が０．７ｃｍを下回ると、導光単位間の継ぎ目部分やＬＥＤ光源の線が照明面に出現し易くなり、照明面の輝度の均一性が損なわれる可能性を招く一方、離隔空間２１が２．５ｃｍを上回ると、ＬＥＤ光源１３による導光単位１からの照明光が乳白パネル２に充分に届かなくなり、照明輝度が低下する可能性を招き、従って導光パネル１２の肉厚を厚くしてＬＥＤ光源１３を複数列に配置する等の措置を必要として、不経済であるとともに厚さが増大するという好ましくない結果を招く。
【００３２】
本例にあって乳白パネル２の載置固定は、上記端部配置用のケース１１の外周側に位置することによって照明装置外周を囲繞する端部起立壁１１２に一体のパネル受座２２を形成し又はこれを設置し、該パネル受座２２に該乳白パネル２の外周端部を支持するように行ってあり、本例にあっては該端部起立壁１１２に設置したパネル受座２２に乳白パネル２を載置し、例えば接着、ネジ等の固定手段によってその固定を行ってある。なお乳白パネルの、例えば乳白アクリルの現状における最大の規格品は、３．３ｍ×２ｍであるから、規格品を用いた場合背面照明装置Ａはこの大きさの面積が最大となるところ、乳白パネルを規格品以外のものとすれば、その大きさは自由に設定できる。
【００３３】
図中５は、必要に応じて、乳白パネル２を支持面として該乳白パネル２に支持した被照明フィルム４を挟着するように該乳白パネル２に着脱自在に設置したアクリル、ポリカーボネート等の透明樹脂によるカバーパネルである。
【００３４】
本例の大判背面照明装置Ａは、高輝度にして全体に高均一性を確保した好ましい形態のものとなし得たところ、導光単位１における導光パネル１２の出光面との間に離隔空間２１を配置したことによって、例えば離隔空間２１を１ｃｍとしたとき照明輝度は出光面の輝度より５％程度、２ｃｍとしたとき１０％弱程度低下するが、その導光パネル１２に乳白パネル２を重ねた状態の輝度を測定したところ、２７８７Ｌｘ（３体の平均輝度）、２ｃｍの離隔空間を介した乳白パネル２における照明輝度は２５２４Ｌｘ（同）であった。因みに本例の大判照明装置Ａと同面積の直下型（内照型）の背面照明装置にあっては、４０Ｗ蛍光管を３列に配置して合計２９本用いたとき、その輝度は３７００Ｌｘであり、消費電力は１１６０Ｗであり、本例の大判照明装置Ａは輝度において、これに幾分劣るも、その消費電力は３９７Ｗ／Ｈであるので、該消費電力を約１／３の省エネルギーのものとすることができる。
【００３５】
図４及び図５は、他の例を示したもので、本例にあって大判背面照明装置Ａは、例えば横幅を３ｍ、縦長さ（高さ）を１．５ｍ強とした照明面を有するものとしてあり、本例にあって該背面照明Ａは、その照明面を２区分した２つの導光単位１を、面方向に２つ並列に配置してある。このとき該導光単位１は、上記照明面の縦長さを２区分した、横幅を、例えば３ｍ、縦長さを０．７５ｍとし、肉厚を１０ｍｍとした平面矩形をなす導光パネル１２を用い、該導光パネル１２に、その図上の一方の対向する長辺側の左右両端にＬＥＤ光源１３、同じくＬＥＤチップをそれぞれ配置して同様にケース１１に収容することによって形成し、同様に底板乃至ハウジング、本例にあっては底板３にこれら導光単位１を収納する一方、上記離隔空間２１を、上記例より５ｍｍ縮小した１５ｍｍとして上記背面照明装置Ａとしたものとしてある。
【００３６】
上記導光単位１に臨設配置したＬＥＤ光源１３を、導光パネル１２の照明面側に突条を配置して形成した断面Ｌ字状の入射端面１２１にＬＥＤチップを配置して該入射端面にＬＥＤチップを収容臨設して導光パネル１に入射光を供給するとともに該ＬＥＤチップの照明面側を上記入射端面１２１の突条によって被覆して減光措置を施したものとしてある。
【００３７】
即ち本例の導光パネル１２は、上記例の肉厚より厚い、例えば１ｃｍ程度、即ち０．８乃至１．２ｃｍの押出成形乃至射出成形や成形後に後加工を施すことによって上記長辺側の左右両端に、上記ＬＥＤチップのチップ突出幅に応じて、これを収容する程度の下向き開口にして、本例にあってややＳ字状をなすように段差壁を傾斜形成した断面Ｌ字状の入射端面１２１を形成してあり、同様に、本例にあって上記導光パネル１２の肉厚に合せた隣接側の起立壁１１１の内壁にチップ基板を固定することによってその収容臨設を行って同様に背面照明装置Ａとしてある。その余は上記例と変らないので、同一符号を付して重複する説明を省略する。
【００３８】
図６は、更に他の例を示したもので、本例にあって大判背面照明装置Ａは、上記被照明フィルム４の支持面をなす上記一体の乳白パネル２に代えて、上記導光単位集合体の外周に位置する端部起立壁１１２に形成し又は設置したシート受座６１にシート押えバー６２を装着することによって被照明用一体のＦＦシート６を展張配置ししたものとしてある。
【００３９】
ＦＦシート６は、不燃性のガラス繊維入りのものや難燃性の塩化ビニール製にして、例えばインクジェットによるプリントをしたものを用いて、導光単位１における導光パネル１２の出光面から、同様に１〜２ｃｍ程度の離隔間隔２１を介して該出光面の全面を被覆するように展張配置してある。該ＦＦシート６の展張配置は、上記導光単位集合体の外周に位置する導光単位１のケース外周側に形成し又は設置した端部起立片１１１のシート受座６１にシート押えバー６２を装着することによってこれを行い、該シート受座６１に配置した溝に、シート押えバー６２を嵌着し、該溝とバー６２とによって展張したＦＦシート６の外周端部を溝内に挟着して行ったものとしてある。その余は同じく上記図１乃至図３の例と変らないので、同一符号を付して重複する説明を省略する。
【００４０】
これら図４及び図５、図６の例も、上記と同様に高輝度且つ高均一にして、大判背面照明装置Ａとして好ましいものとなし得た。
【００４１】
図示した例は以上のとおりとしたが、ＬＥＤ光源をＬＥＤランプによるものとすること、導光パネルの双方の対向する両端、即ち四辺外周にＬＥＤ光源を臨設配置したものとすること、このとき四辺外周のＬＥＤ光源からの入射光による輝度を均一化するように導光パタン、ＬＥＤ光源の距離等を調整すること、上記一体の乳白パネルを、上記導光単位集合体の外周に位置する上記端部起立壁に対する載置固定に代えて、該導光単位集合体を、外周に起立壁を配置した断面Ｕ字状のハウジングに配置するとともに該ハウジングに設置したパネル受座に載置固定したものとすること、ＬＥＤ光源の照明面側を半透明材によって被覆して減光措置を施すについて、シート乃至フィルムに代えて幅狭の半透明板を用いるようにすること、大判背面照明装置を、例えば壁面、天井等に配置して照明を行なう照明パネルとして使用すること等を含めて、本発明の実施に当って、大判背面照明装置、導光単位、導光パネル、ＬＥＤ光源、乳白パネル、離隔空間、必要に応じて用いるＦＦシート、照明装置の底板又はハウジング、導光単位の基板又はケース、入射端面、半透明材等の各具体的用途、構造、形状、材質、これらの関係、これらに対する付加等は、上記発明の要旨に反しない限り様々な形態のものとすることができる。
【図面の簡単な説明】
【００４２】
【図１】大判背面照明装置の部材の概要を示す分解斜視図である。
【図２】大判背面照明装置の導光単位配置状態を示す平面図である。
【図３】図２のＡ−Ａ線縦断面図である。
【図４】他の例の大判背面照明装置の導光単位配置状態を示す平面図である。
【図５】図４の大判背面照明装置の縦断面図である。
【図６】ＦＦシートを用いた大判背面照明装置の縦断面図である。
【符号の説明】
【００４３】
Ａ  大判背面照明装置
１    導光単位
１１  ケース
１１１  中間起立壁
１１２  端部起立壁
１２  導光パネル
１２１  入射端面
１３  ＬＥＤ光源
１３１  半透明材
２  乳白パネル
２１  離隔空間
２２  パネル受座
３  底板
４  被照明フィルム
５  カバーパネル
６  ＦＦシート
６１  シート受座
６２  シート押えバー
【図１】
0005049945.tif 000002
【図２】
0005049945.tif 000003
【図３】
0005049945.tif 000004
【図４】
0005049945.tif 000005
【図５】
0005049945.tif 000006
【図６】
0005049945.tif 000007